(57)【要約】【目的】  速い反応速度を有する液晶表示（ＬＣＤ）パネルを提供する。【解決手段】  少なくとも、第１グループのゲートラインと、第２グループのゲートラインと、第１グループのソースラインとを含み、ゲートパルス信号が２グループのゲートラインを介してＬＣＤパネルに供給されるとともに、第２グループのソースラインを含み、２グループのソースラインのうち１つには、実際のイメージデータが供給され、もう1つには、黒いイメージデータが供給されるのが好ましいものであり、従って、このＬＣＤパネルは、光学補正複屈折ＬＣ（ＯＣＢ-ＬＣ）を必要とせずに、ねじれネマチックＬＣまたは垂直配向ＬＣ（ＶＡ-ＬＣ）のみを使用することができるので、ＯＣＢ-ＬＣの使用による速い反応速度のＬＣパネルの諸問題を回避することができる。【選択図】  図３
2005134864.tif 000002
【特許請求の範囲】
【請求項１】
複数の画素を有し、前記した複数の画素の１つがそれぞれ第１トランジスターおよび第２トランジスターを含むパネルと、
前記第１トランジスターのゲート電極においてそれぞれ接続された第１グループのゲートラインと、
前記第２トランジスターのゲート電極においてそれぞれ接続された第２グループのゲートラインと、
第１グループのソースラインと
を備えるものであって、
前記第１グループのゲートラインに実際のイメージデータに対する複数のゲートパルス信号が供給される時、前記第２グループのゲートラインに黒いイメージデータに対する複数のゲートパルス信号が供給されるとともに、また、その逆も同様である液晶表示装置。
【請求項２】
複数の画素を有し、前記した複数の画素の１つがそれぞれ第１トランジスターおよび第２トランジスターを含む液晶（ＬＣ）パネルと、
前記ＬＣパネルのそれぞれの前記第１トランジスターのゲート電極に接続された第１グループのゲートラインを備えた第１ゲートドライバーと、
前記ＬＣパネルのそれぞれの前記第２トランジスターのゲート電極に接続された第２グループのゲートラインを備えた第２ゲートドライバーと、
前記ＬＣパネルに接続された第１ソースラインを有する第１ソースドライバーと
を備え、
前記第１グループのゲートラインに実際のイメージデータに対する複数のゲートパルス信号が供給される時、前記第２グループのゲートラインに黒いイメージデータに対する複数のゲートパルス信号が供給されるとともに、また、その逆も同様である液晶表示装置。
【請求項３】
上記ゲートパルス信号が、時間差により上記第１グループのゲートラインおよび上記第２グループのゲートラインに供給されるものである請求項1または２記載の液晶表示装置。
【請求項４】
上記第１トランジスターのドレイン電極および上記第２トランジスターのドレイン電極が、キャパシターの端末に接続されるものである請求項1または２記載の液晶表示装置。
【請求項５】
上記液晶表示装置が、さらに、第２グループのソースラインを備えるものであって、
上記第１グループのソースラインに実際のイメージデータが供給される時、前記第２グループのソースラインに黒いイメージデータが供給されるとともに、また、その逆も同様である請求項1または２記載の液晶表示装置。
【請求項６】
上記した実際のイメージデータおよび上記した黒いイメージデータが、時間差により供給されるものである請求項５記載の液晶表示装置。
【請求項７】
上記第１ゲートドライバーおよび上記第２ゲートドライバーが、それぞれ、入力信号を受信するために接続されたシフトレジスター（shift register）と、
前記シフトレジスターに接続されたレベルシフター（level shifter）と、
前記レベルシフターおよびそれに対応するゲート回路に接続された出力バッファー（output buffer）と
を備えるものであって、
前記第１ゲートドライバーおよび前記第２ゲートドライバーが、前記ＬＣパネルの同じ側面または異なる側面に設置され、
前記第１ゲートドライバーおよび前記第２ゲートドライバーが、同じ側面に設置されている時、前記第１ゲートドライバーおよび前記第２ゲートドライバーが、同じドライバーまたは異なるドライバーとなることができるものである請求項２記載の液晶表示装置。
【請求項８】
上記液晶表示装置が、さらに、上記ＬＣパネルに接続された第２ソースラインを有する第２ソースドライバーを備えるものであって、
上記第１ソースラインに実際のイメージデータが供給される時、前記第２ソースラインに黒いイメージデータが供給されるとともに、また、その逆も同様である請求項２記載の液晶表示装置。
【請求項９】
上記第１ソースドライバーおよび上記第２ソースドライバーが、それぞれのデータ入力を受信するために接続されたデジタル／アナログ変換器（digital to analog converter = ＤＡＣ）と、
前記ＤＡＣおよび前記第１ソースラインに接続される出力バッファー（output buffer）と
を備えるものであって、
前記第１ソースドライバーおよび前記第２ソースドライバーが、前記ＬＣパネルの同じ側面または異なる側面に設置され、
前記第１ソースドライバーおよび前記第２ソースドライバーが同じ側面に設置されている時、前記第１ソースドライバーおよび前記第２ソースドライバーは同じドライバーまたは異なるドライバーとなることができる請求項８記載の液晶表示装置。
【発明の詳細な説明】
【技術分野】
【０００１】
この発明は、液晶表示（ＬＣＤ）パネルとその駆動回路に関し、特に、速い反応速度を有するＬＣＤ（liquid crystal display）パネルおよびその駆動回路に関する。
【背景技術】
【０００２】
従来のＬＣＤパネルの駆動装置は、一般に、図１に示したような構造を有する。従来のＬＣＤパネルは、液晶（ＬＣ）パネル(panel)１０２と、ＬＣパネル１０２のゲートライン(gate line)Ｇ１，Ｇ２，…Ｇｎを作動させるために使用されるゲートドライバー(gate  driver)１０４と、ソースライン(source line)Ｓ１，Ｓ２，…Ｓｎを作動させるために使用されるソースドライバー(source driver)１０６とを含んでいる。通常、反応速度(response speed)が十分に速くない場合、速い動作に対して画像が時間内に反応することができず、画像および文字が完全には識別されない。これは、画像遅滞現象として知られている。反応時間(response time)は、必須の要素であり、重要な問題は、入力信号に対するＬＣＤパネルの反応速度、つまり、明から暗へ、暗から明へ、あるいは灰色から灰色へ変化させるためにＬＣＤパネルに対して必要とされる動作時間である。一般に、ＴＦＴ ＬＣＤパネル設計における反応時間は、上昇時間（rising time = Ｔｒ）と下降時間（falling time = Ｔｆ）との２タイプがあり、反応時間は、これら２タイプの時間の合計となる。反応時間が小さくなればなるほど、反応速度が速くなる。反応時間が４０ｍｓを超過する場合は、その動作対象に対して画像遅滞が発生する。現在のＬＣＤパネルの標準反応時間は、通常、約２５ｍｓ以下であり、少数のＬＣＤパネルが１６ｍｓ以下を達成することができる。
【発明の開示】
【発明が解決しようとする課題】
【０００３】
上記課題を解決するため、高速ＬＣＤパネルの発展において、視覚効果を有効に加速させるために、黒い画像を挿入する方法が使用されており、画像遅滞現象を減少させることができる。黒い画像を挿入する従来の方法では、フレーム周期(frame period)内に黒い画面を挿入する必要があり、フレーム時間(frame time)を消費する結果となる。これは、従来のＬＣＤパネルの反応時間が比較的不十分に短いのが原因である。この問題を解決するため、フレームにおける表示時間(display time) が減少するように、光学補正複屈折（optically compensated birefringent = ＯＣＢ）液晶を速い反応時間において使用する必要がある。ＯＣＢ液晶は、表示セル(display cell)構造を有する特殊な液晶である。ＯＣＢ液晶は、継続駆動されるように、そして灰色のレベルが生じるように、ＯＣＢ液晶の駆動中にスプレー（Splay）状態からベンド（Bend）状態に予め変えられる必要があるため、駆動方法は通常のねじれネマチック（Twisted Nematic = ＴＮ）液晶よりも複雑である。ＯＣＢ液晶においては、ソース駆動回路の出力周波数を上げる必要もあり、従来のＴＮ ＬＣＤパネルがわずか４８ＫＨｚであるのに対し、ＯＣＢ液晶においては通常８０ＫＨｚ以上であることが必要とされる。さらに、バックライトモジュール(back light module)は、黒い画面を挿入するためにタイムシーケンスと関連づける必要がある。
【０００４】
上記した特定の問題、つまり、高速ＬＣＤパネルの発展においてＯＣＢ液晶を使用する必要があること、ＯＣＢ液晶の使用中に高い駆動周波数が必要であること、そして黒い画像を発生させるためにバックライトモジュールにコントローラーを増設する必要があることといった問題を解決するために、ＬＣＤパネルの反応時間を向上させる機能を有する駆動装置を備える必要がある。
【０００５】
この発明は、反応時間が向上したＬＣＤパネルを提供するものである。
【０００６】
この発明は、さらに、ＬＣＤパネルの反応時間を向上させるための駆動装置を提供するものである。
【課題を解決するための手段】
【０００７】
この発明が提供するＬＣＤパネルは、少なくとも、第１グループのゲートラインと、第２グループのゲートラインと、第１グループのソースラインとを含み、ゲートパルス信号が２グループのゲートラインを介してＬＣＤパネルに供給される。
【０００８】
上記のＬＣＤパネルでは、第１グループのゲートラインは実際のイメージデータのゲートパルスを供給するために使用され、第２グループのゲートラインは黒いイメージデータのゲートパルスを供給するために使用されるのが好ましい。ゲートパルスが供給されている第１グループのゲートラインと第２グループのゲートラインとの間の時間差は、１本の水平線あるいは複数の水平線の時間間隔である。
【０００９】
上記のＬＣＤパネルでは、第１グループのゲートラインおよび第２グループのゲートラインは同じ側面または異なる側面のどちらにも設置されることができる。
【００１０】
上記のＬＣＤパネルでは、さらに第２グループのソースラインを含むのが好ましい。第１グループのソースラインにはもとの実際のイメージデータが供給され、第２グループのソースラインにはもとの黒いイメージデータが供給される。あるいは、第１グループのソースラインにはもとの黒いイメージデータが供給され、第２グループのソースラインにはもとの実際のイメージデータが供給される。第１グループのソースラインと第２グループのソースラインとの間の時間差は、１本の水平線あるいは複数の水平線の時間間隔である。
【００１１】
この発明がさらに提供する液晶表示の駆動装置は、少なくとも、ＬＣパネルに接続された第１グループのゲートラインを有する第１ゲートドライバーと、ＬＣパネルに接続された第２グループのゲートラインを有する第２ゲートドライバーと、ＬＣパネルに接続された第１グループのソースラインとを有する第１ソースドライバーを備えたＬＣパネルを含む。
【００１２】
上記のＬＣＤ駆動装置では、第１グループのゲートラインは実際のイメージデータのゲートパルスを供給するために使用され、第２グループのゲートラインは黒いイメージデータのゲートパルスを供給するために使用されるのが好ましい。あるいは、第１グループのゲートラインは黒いイメージデータのゲートパルスを供給するために使用され、第２グループのゲートラインは実際のイメージデータのゲートパルスを供給するために使用されるのが好ましい。ゲートパルスが供給されている第１グループのゲートラインと第２グループのゲートラインとの間の時間差は、１本の水平線あるいは複数の水平線の時間間隔である。
【００１３】
上記のＬＣＤ駆動装置では、第１ゲートドライバーおよび第２ゲートドライバーはそれぞれ入力信号を受信するために接続されたシフトレジスターと、シフトレジスターに接続されたレベルシフターと、レベルシフターおよびそれに対応するゲート回路に接続された出力バッファーとをさらに備えることが好ましい。第１ゲートドライバーおよび第２ゲートドライバーは同じ側面または異なる側面のどちらにも設置されることができる。第１ゲートドライバーおよび第２ゲートドライバーが同じ側面に設置されている時、第１ゲートドライバーおよび第２ゲートドライバーは同じドライバーまたは異なるドライバーのどちらにもなることができる。
【００１４】
上記のＬＣＤ駆動装置では、ＬＣパネルに接続された第２グループのソースラインを有する第２グループのソースドライバーをさらに備えることが好ましい。第１グループのソースラインは、もとの実際のイメージデータを供給するために使用され、第２グループのソースラインは、もとの黒いイメージデータを供給するために使用される。あるいは、第１グループのソースラインは、もとの黒いイメージデータを供給するために使用され、第２グループのソースラインは、もとの実際のイメージデータを供給するために使用される。データが供給されている第１グループのソースラインと第２グループのソースラインとの間の時間差は、１本の水平線あるいは複数の水平線の時間間隔である。
【００１５】
上記のＬＣＤ駆動装置では、それぞれの第１ソースドライバーおよび第２ソースドライバーは、さらに、アナログ入力データに接続されたＤＡＣと、グループに対応するソースラインとを備えることが好ましい。第１ソースドライバーおよび第２ソースドライバーは、同じ側面または異なる側面のどちらにも設置されることができる。第１ソースドライバーおよび第２ソースドライバーが同じ側面にある場合、第１ソースドライバーおよび第２ソースドライバーは同じドライバーまたは異なるドライバーのどちらにもなることができる。
【００１６】
上記の説明において、この発明にかかる速い反応速度を有するＬＣＤ駆動装置は、ＬＣパネルとしてＯＣＢ ＬＣを使用せずに、ＴＮ（Twisted Nematic）または垂直配向（Vertical Alignment = ＶＡ）ＬＣのみを使用することができる。これによって、灰色のレベルが継続的に生じるように、過剰に高い駆動周波数を引き起こすので、ＯＣＢ ＬＣをスプレー状態からベンド状態に予め変える必要があるとともに、実際のイメージデータと黒いイメージデータとの間をコントロールするためにバックライトモジュールにコントローラーを必要とするといったＯＣＢ ＬＣ使用における従来の問題を解決することができる。そして、生産コスト、生産サイクル、ＬＣＤの複雑性などが効果的に減少される。
【発明の効果】
【００１７】
上記構成により、この発明にかかるＬＣＤパネルは、速い反応速度および駆動回路を備えて、ＬＣパネルとしてＯＣＢ ＬＣを使用せずに、ＴＮ ＬＣまたはＶＡ ＬＣのみを使用することができる。これによって、灰色のレベルが継続的に生じるように、過剰に高い駆動周波数を減少させるためにＯＣＢ ＬＣをスプレー状態からベンド状態へ予め変える必要があるといった従来の問題を解決することができる。また、従来の設計では、実際のイメージデータと黒いイメージデータとの間をコントロールするために、バックライトモジュールに対するコントローラーが必要であったが、この発明により、生産コスト、生産サイクル、ＬＣＤの複雑性などを含むいくつかの問題を減少させることができる。従って、産業上の利用価値が高い。
【発明を実施するための最良の形態】
【００１８】
以下、この発明にかかる好適な実施例を図面に基づいて説明する。
図２において、駆動回路を備えたＬＣパネル２０２は、常時ブラック(normally black)パネル上での使用に適しており、第１グループのゲートラインＧ１〜Ｇｎと、第２グループのゲートラインＧＲ１〜ＧＲｎと、第１グループのソースラインＳ１〜Ｓｍとを含んでいる。第１グループのゲートラインＧ１〜Ｇｎは、第１グループのトランジスターＴ１のゲート電極に接続され、ＬＣパネル２０２をデータ走査するためのスイッチ機能として作用する。第２グループのゲートラインＧＲ１〜ＧＲｎは、第２グループのトランジスターＴ２のゲート電極に接続される。トランジスターＴ１およびＴ２は、薄膜トランジスター（ＴＦＴ）を含むものである。
【００１９】
上記の実施形態において、第１グループのゲートラインＧ１〜Ｇｎおよび第２グループのゲートラインＧＲ１〜ＧＲｎは、ＬＣパネル２０２にゲートパルス信号を供給するために使用される。例えば、第１グループのゲートラインＧ１〜Ｇｎに実際のイメージのゲートパルス信号が供給される時、第２グループのゲートラインＧＲ１〜ＧＲｎに黒いイメージのゲートパルス信号が供給される。この状況では、黒いイメージは少なくとも１本の水平線または複数の水平線の後に挿入される。あるいは、第１グループのゲートラインＧ１〜Ｇｎに黒いイメージのゲートパルス信号が供給される時、第２グループのゲートラインＧＲ１〜ＧＲｎに実際のイメージのゲートパルス信号が供給される。その効果は、類似したものである。
【００２０】
図２において、ゲートドライバー２０４およびソースドライバー２０６がさらに含まれる。この方法では、２つのグループのゲートドライバーのシーケンスＩ/Ｏ（Ｄ Ｉ/ＯおよびＤＲ Ｉ/Ｏ）を使用することにより、画像(pixel)に飛越走査を提供することができる。２つのグループのシーケンス信号Ｄ Ｉ/ＯおよびＤＲ Ｉ/Ｏは、シーケンスコントローラーより同時に得ることができるか、あるいはそれらの１つはゲートドライバー２０４から内部計数により得ることができる。ゲートドライバー２０４に供給されている２つのシーケンス信号Ｄ Ｉ/ＯおよびＤＲ Ｉ/Ｏを使用すると、ＬＣＤパネルを駆動させるためにパルス信号が発生し、第１グループのゲートラインＧ１〜Ｇｎおよび第２グループのゲートラインＧＲ１〜ＧＲｎに出力される。図６では、この発明にかかる好適な実施例に基づき、ゲートドライバーの出力信号を図示する。例えば、シーケンス信号Ｄ Ｉ/Ｏがゲートドライバー２０４に供給された後、ゲートパルス信号が順番に発生されて、第１グループのゲートラインＧ１〜Ｇｎに供給される。ゲートドライバーの入力コントロールに対する上下（Up/Down, Ｕ/Ｄ）状態はＵ/Ｄ＝１である。この時点では、ソースドライバー２０６からの実際のイメージデータは、走査されたラインの画素へ出力される。シーケンス信号Ｄ Ｉ/Ｏが供給された後の期間では、シーケンス信号ＤＲ Ｉ/Ｏがゲートドライバー２０４に供給される。第２グループのゲートラインＧＲ１〜ＧＲｎに対する黒いイメージデータのゲートパルス信号は連続的に発生し、第２グループのゲートラインＧＲ１〜ＧＲｎに出力される。この場合におけるゲートドライバーはＵ/Ｄ＝１である。図６に示すように、実際のイメージデータおよび黒いイメージデータの走査信号は、相対的に時間差を有する。この時間差は、水平線の有効画像時間と呼ばれる。有効画像時間の分量は、人の目のインパルス応答(impulse response)によって決まる。
【００２１】
図４（ａ）および図４（ｂ）では、この発明にかかる好適な実施例に基づき、ＬＣＤパネルの駆動回路を図示する。図４（ａ）は、第１グループのゲートラインＧ１〜Ｇｎおよび第２グループのゲートラインＧＲ１〜ＧＲｎに対するゲートドライバー２０４がＬＣパネルの同じ側面にある時の構造を示す。一方、図４（ｂ）は、第１グループのゲートラインＧ１〜Ｇｎに対するゲートドライバー２０４ａと、第２グループのゲートラインＧＲ１〜ＧＲｎに対するゲートドライバー２０４ｂとが、ＬＣパネルの異なる側面にある時の構造を示す。シーケンス信号Ｄ Ｉ/Ｏがゲートドライバー２０４ａに供給され、シーケンス信号ＤＲ Ｉ/Ｏがゲートドライバー２０４ｂに供給され、パルス信号が発生されて、第１グループのゲートラインＧ１〜Ｇｎおよび第２グループのゲートラインＧＲ１〜ＧＲｎに供給される。その結果は、図４（ａ）の結果に類似する。図７では、この発明にかかる好適な実施例に基づき、ＬＣＤパネルの画像フレームに対する走査状態を図示する。図７において、時間の中間部分における走査結果は、上部から下部まで走査された実際のイメージの出力であり、時間の前段と後段における走査結果は、上部から下部の実際のイメージと共に走査された黒いイメージの出力である。言い換えると、黒いイメージの出力は、1本の水平線、複数の水平線あるいは全体のイメージかそれ以上の期間において持続させることができる。全てのゲートドライバーに対する走査方向は、上部から下部または下部から上部のどちらともすることができる。
【００２２】
以下、この発明にかかるもう1つの好適な実施例を図面に基づいて説明する。
図３において、駆動装置を備えたＬＣパネル３０２は、常時白(normally white)パネルおよび常時黒(normally black)パネル上において使用するのに適切であり、第１グループのゲートラインＧ１〜Ｇｎ、第２グループのゲートラインＧＲ１〜ＧＲｎ、第１グループのソースラインＳ１〜Ｓｍ、および第２グループのソースラインＳＲ１〜ＳＲｍを含む。第１グループのゲートラインＧ１〜Ｇｎは、駆動のためにＬＣパネルの第１グループのトランジスターＴ３のゲート電極に接続される。第２グループのゲートラインＧＲ１〜ＧＲｎは、第２グループのトランジスターＴ４のゲート電極に接続されるが、これらのトランジスターＴ３およびＴ４は、ＴＦＴを含むものである。
【００２３】
上記の実施形態において、第１グループのゲートラインＧ１〜Ｇｎおよび第２グループのゲートラインＧＲ１〜ＧＲｎのうち少なくとも１つは、ＬＣパネル３０２にパルス信号を供給するために使用することができる。例えば、第１グループのゲートラインＧ１〜Ｇｎに実際のイメージのゲートパルス信号が供給される時、第２グループのゲートラインＧＲ１〜ＧＲｎに黒いイメージのゲートパルス信号が供給される。この状況において、黒いイメージは少なくとも1本の水平線または複数の水平線の後に挿入される。もしくは、第１グループのゲートラインＧ１〜Ｇｎに黒いイメージのゲートパルス信号が供給される時、第２グループのゲートラインＧＲ１〜ＧＲｎに実際のイメージのゲートパルス信号が供給される。その効果は、類似したものである。
【００２４】
図３において、ゲートドライバー３０４およびソースドライバー３０６がさらに含まれる。この状況において、２グループのシーケンス信号Ｄ Ｉ/ＯおよびＤＲ Ｉ/Ｏ）を使用することにより、画像に飛越走査を提供することができる。２グループのシーケンス信号Ｄ Ｉ/ＯおよびＤＲ Ｉ/Ｏは、シーケンスコントローラーから同時に得ることができるか、あるいは、それらの１つはゲートドライバー３０４より内部計数で得ることができる。ゲートドライバー３０４に供給されている２つのシーケンス信号Ｄ Ｉ/ＯおよびＤＲ Ｉ/Ｏを使用すると、ＬＣＤパネルを駆動させるためにパルス信号が発生されて、第１グループのゲートラインＧ１〜Ｇｎおよび第２グループのゲートラインＧＲ１〜ＧＲｎに出力される。図６では、この発明にかかる好適な実施例に基づき、ゲートドライバーの出力信号を図示する。例えば、シーケンス信号Ｄ Ｉ/Ｏがゲートドライバー３０４に供給された後、ゲートパルス信号が順番に発生されて、第１グループのゲートラインＧ１〜Ｇｎに供給される。この時、ソースドライバー３０６からの実際のイメージデータは、走査されたラインの画素へ出力される。シーケンス信号Ｄ Ｉ/Ｏが供給された後の期間に、シーケンス信号ＤＲ Ｉ/Ｏがゲートドライバー３０４に供給される。第２グループのゲートラインＧＲ１〜ＧＲｎに対する黒いイメージデータのゲートパルス信号は連続的に発生されて、第２グループのゲートラインＧＲ１〜ＧＲｎに出力される。図６に示すように、実際のイメージデータおよび黒いイメージデータの走査信号は、相対的に時間差を有する。この時間差は、水平線の有効画像時間と呼ばれる。有効画像時間の分量は、人の目のインパルス応答により決まる。
【００２５】
図４（ａ）および図４（ｂ）において、図４（ａ）は、第１グループのゲートラインＧ１〜Ｇｎおよび第２グループのゲートラインＧＲ１〜ＧＲｎに対するゲートドライバー３０４がＬＣパネル３０２の同じ側面にある時の構造を示す。一方、図４（ｂ）は、第１グループのゲートラインＧ１〜Ｇｎの第１ゲートドライバー３０４ａおよび第２グループのゲートラインＧＲ１〜ＧＲｎの第２ゲートドライバー３０４ｂが異なる側面にある時の構造を示す。シーケンス信号Ｄ Ｉ/Ｏがゲートドライバー３０４ａに供給され、シーケンス信号ＤＲ Ｉ/Ｏがゲートドライバー３０４ｂに供給されて、パルス信号が発生され、第１グループのゲートラインＧ１〜Ｇｎおよび第２グループのゲートラインＧＲ１〜ＧＲｎに供給される。その結果は、図４（ａ）の結果に類似したものである。
【００２６】
図５（ａ）および５（ｂ）において、図５（ａ）は、第１グループのソースラインＳ１〜Ｓｍおよび第２グループのソースラインＳＲ１〜ＳＲｍに対するソースドライバー３０６がＬＣパネル３０２の同じ側面にある時の構造を示す。一方、図５（ｂ）は、第１グループのソースラインＳ１〜Ｓｍの第１ソースドライバー３０６ａおよび第２グループのソースラインＳＲ１〜ＳＲｍの第２ソースドライバー３０６ｂが異なる側面にある時の構造を示す。図５（ａ）および図５（ｂ）において、ＬＣパネル３０２の異なる側面に設置された第１グループのゲートラインＧ１〜Ｇｎおよび第２グループのゲートラインＧＲ１〜ＧＲｎの構造と、ＬＣパネル３０２の同じ側面に設置された第１グループのゲートラインＧ１〜Ｇｎおよび第２グループのゲートラインＧＲ１〜ＧＲｎの構造は、図５（ａ）および図５（ｂ）において示したように、以下のような同じ結果をもたらす。
【００２７】
例えば、第１グループのソースラインＳ１〜Ｓｍが実際のイメージデータを供給するために使用される時、第２グループのソースラインＳＲ１〜ＳＲｍは黒いイメージデータを供給するために使用される。この方法では、少なくとも１本または複数の水平線との間に、黒いイメージが挿入される。一方、第１グループのソースラインＳ１〜Ｓｍが黒いイメージデータを供給するために使用され、第２グループのソースラインＳＲ１〜ＳＲｍが実際のイメージデータを供給するために使用されても、同じ結果をもたらすことができる。
【００２８】
図８は、この発明にかかる好適な実施例に基づき、ゲートドライバーを図示するブロック図である。図８において、ドライバー８００は、上記したゲートドライバー２０４および３０４と、第1ゲートドライバー２０４ａおよび３０４ａと、第２ゲートドライバー２０４ｂおよび３０４ｂとを含む。内部機能ブロックは、少なくともデータ入力を受信するために接続されたシフトレジスター(shift register)８０２を含むが、少なくともシーケンス信号Ｄ Ｉ/ＯおよびＤＲ Ｉ/Ｏ、あるいはシーケンス信号Ｄ Ｏ/ＩおよびＤＲ Ｏ/Ｉさえも含む。出力バッファー(output buffer)８０６は、レベルシフター８０４(level shifter)および対応するゲートラインに接続される。図８において、電圧ＶＧＧおよびＶＥＥはそれぞれＧ１からＧｎまでのゲートラインに対する正バイアスおよび負バイアスの入力電圧を示す。図面において、ＶＤＤはデジタル回路に対する入力電圧を示す。ＣＬＫは入力クロックを示し、Ｕ/Ｄはゲートドライバーの上下（Up/Down）のコントロール入力を示す。第１ゲートドライバー２０４ａの第１グループのゲートラインＧ１〜Ｇｎは、図８に示すように、第２グループのゲートラインＧＲ１〜ＧＲｎ、あるいは第１および第２グループのゲートラインＧ１、ＧＲ１〜Ｇｎ、ＧＲｎになることができる。ゲートドライバー８００は、さらに、他の動作を実行するためにコントロールブロック８０８を含むことができる。
【００２９】
図９は、この発明にかかる好適な実施例に基づき、ソースドライバーを図示するブロック図である。図９において、ドライバー９００は、上記したソースドライバー２０６および３０６と、第1ソースドライバー３０６aと、第２ソースドライバー３０６ｂとを含む。内部機能ブロックは、基準入力信号を受信するために接続されたデジタル／アナログコンバータ（digital to analog converter = ＤＡＣ）９０２、ＤＡＣ９０２に接続された出力バッファー(output buffer)９０４および対応するソースラインＳ１〜Ｓｍを含む。ソースドライバーはさらに、他の動作を実行するためにコントロールブロック９０６を含む。図９におけるＰＯＬは、電気極性のコントロール入力を示し、ＬＤは、ラッチングコントロール入力を示す。
【００３０】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３１】
【図１】従来のＴＦＴ-ＬＣＤパネル構造を示す回路構成面である。
【図２】この発明にかかる好適な実施例に基づき、ドライバーを有するＬＣＤパネルを示す回路構成面である。
【図３】この発明にかかるもう１つの好適な実施例に基づき、ドライバーを有するＬＣＤパネルを示す回路構成面である。
【図４】（ａ）（ｂ）は、この発明にかかる好適な実施例に基づき、ＬＣＤパネルにおける駆動装置を示す回路構成面である。
【図５】（ａ）（ｂ）は、この発明にかかるもう１つの好適な実施例に基づき、ＬＣＤパネルにおける駆動装置を示す回路構成面である。
【図６】この発明にかかる好適な実施例に基づき、ゲートドライバーの出力信号を示すタイミング面である。
【図７】この発明にかかる好適な実施例に基づき、ＬＣＤパネルの画像フレームに対する走査状態を示す説明面である。
【図８】この発明の好適な実施例にかかるゲートドライバーを示すブロック図である。
【図９】この発明の好適な実施例にかかるソースドライバーを示すブロック図である。
【符号の説明】
【００３２】
２０２、３０２  ＬＣパネル
Ｇ１〜Ｇｎ、ＧＲ１〜ＧＲｎ  ゲートライン
Ｓ１〜Ｓｍ、ＳＲ１〜ＳＲｍ  ソースライン
Ｔ１、Ｔ２、Ｔ３、Ｔ４  トランジスター
２０４、２０４ａ、２０４ｂ、３０４、３０４ａ、３０４ｂ  ゲートドライバー
２０６、２０６ａ、２０６ｂ、３０６、３０６ａ、３０６ｂ  ソースドライバー
８００  ドライバー
８０２  シフトレジスター
８０４  レベルシフター
８０６  出力バッファー
８０８  コントロールブロック
９００  ドライバー
９０２  デジタル／アナログコンバータ（ＤＡＣ）
９０４  出力バッファー
９０６  コントロールブロック
Ｄ Ｉ/Ｏ、ＤＲ Ｉ/Ｏ、Ｄ Ｏ/Ｉ、ＤＲ Ｏ/Ｉ  シーケンス信号
ＶＧＧ、ＶＥＥ、ＶＤＤ  入力電圧
ＣＬＫ  入力クロック
ＰＯＬ  電気極性コントロール入力
ＬＤ  ラッチングコントロール入力
【図１】
2005134864.tif 000003
【図２】
2005134864.tif 000004
【図３】
2005134864.tif 000005
【図４】
2005134864.tif 000006
【図５】
2005134864.tif 000007
【図６】
2005134864.tif 000008
【図７】
2005134864.tif 000009
【図８】
2005134864.tif 000010
【図９】
2005134864.tif 000011